(57)【特許請求の範囲】
【請求項１】
所定の規格寸法の床パネルを相隣接させ、複数敷き詰めて床を形成する住宅における給排水配管の接続に用いる配管接続用パネルであって、
前記床パネルと略同一寸法に形成され、前記住宅の床の一部を構成するパネル部材と、  該パネル部材に設けられる貫通孔に貫入された状態で固定される複数の配管接続ユニットと、を備え、
該複数の配管接続ユニットのそれぞれは、上端が前記住宅の内部側から配設された内部配管に接続可能で前記パネル部材の表面側から突出する接続ソケットやドライバー等で開閉可能な止水栓を有すると共に、下端が前記住宅の床下側から配設された床下配管に接続する管継手を具備し、
且つ、前記接続ユニットは、前記住宅の給水配管を接続する継手管を具備する給水用配管接続ユニット、前記住宅の給湯配管を接続する継手管を具備する給湯管用配管接続ユニット、及び前記住宅の排水配管を接続する継手管を具備する排水用配管接続ユニットのいずれかであり、
更に、前記管継手は、前記パネル部材の裏面側から下方に突出して設けられた略Ｌ字型の部材であり、その先端側の開口部が水平方向を向いて回転自在であり、前記接続ソケットや止水栓の上端は前記配管接続パネル及び床パネルの表側面に被せられる床仕上材の開口部に入って床仕上材の表面が略水平となることを特徴とする配管接続用パネル。
【請求項２】
前記パネル部材と略同一形状の床仕上材をその表面に更に備えることを特徴とする請求項１に記載の配管接続用パネル。
【発明の詳細な説明】
【技術分野】
【０００１】
この発明は、住宅の給排水配管を接続する配管接続用パネルに関し、特に、住宅の居住空間に配設される内部配管と、住宅の床下に配設される床下配管とを接続する配管接続用パネルに関する。
【背景技術】
【０００２】
従来より住宅においては、上水道から住宅内部まで配管して、住宅内部に上水を取り入れると共に、住宅内部から下水道まで配管して、住宅内部から流される下水を排水している。そして、住宅内部においては、台所、トイレ、風呂、洗濯パン等の複数の水回りに分岐して、上水配管及び下水配管を配設している。
【０００３】
ところで、住宅の建設に際しては、当初の計画から間取りが変更される場合がしばしばあり、上述のような水回りの配置が変更される場合もある。また、住宅に居住後、家族構成の変化や生活スタイルの変化、あるいは水回り設備の耐用年数の経過などにより、水回りの改装や住宅のリフォーム等で水回りの配置が変更される場合も多い。このような場合、上水配管及び下水配管も新たに変更する必要があり、多くの期間とコストが掛かる問題があった。
【０００４】
そこで、図７に示すように、床、壁、天井等の壁体１０１をその表面に対して略直角に固定されると共に、当該壁体１０１を貫通するように固定され、該壁体の内外に設置された配管１０２を繋ぐための配管継手１０３が考案されている（例えば、特許文献１）。
【特許文献１】実開平６−４８３３２号公報
【発明の開示】
【発明が解決しようとする課題】
【０００５】
しかし、上述のように壁体の内外に設置された配管１０２を繋ぐ配管継手１０３を設置したとしても、水回りを大きく配置変更するような場合には、全く別の場所に新たに当該配管継手１０３を設置しなければならないので、多くの期間とコストが掛かるという問題があった。
【０００６】
そこで、本発明は、水回りの配置を変更する場合に上水配管及び下水配管の変更を極めて容易にすることができ、上水配管及び下水配管の変更に掛かる期間及びコストを軽減することができる配管接続用パネルを提供することを目的とする。
【課題を解決するための手段】
【０００７】
上記目的を達成するために、請求項１記載の配管接続用パネルは、所定の規格寸法の床パネルを相隣接させ、複数敷き詰めて床を形成する住宅における給排水配管の接続に用いる配管接続用パネルであって、前記床パネルと略同一寸法に形成され、前記住宅の床の一部を構成するパネル部材と、該パネル部材に設けられる貫通孔に貫入された状態で固定される複数の配管接続ユニットと、を備え、該複数の配管接続ユニットのそれぞれは、上端が前記住宅の内部側から配設された内部配管に接続可能で前記パネル部材の表面側から突出する接続ソケットやドライバー等で開閉可能な止水栓を有すると共に、下端が前記住宅の床下側から配設された床下配管に接続する管継手を具備し、且つ、前記接続ユニットは、前記住宅の給水配管を接続する継手管を具備する給水用配管接続ユニット、前記住宅の給湯配管を接続する継手管を具備する給湯管用配管接続ユニット、及び前記住宅の排水配管を接続する継手管を具備する排水用配管接続ユニットのいずれかであり、更に、前記管継手は、前記パネル部材の裏面側から下方に突出して設けられた略Ｌ字型の部材であり、その先端側の開口部が水平方向を向いて回転自在であり、前記接続ソケットや止水栓の上端は前記配管接続パネル及び床パネルの表側面に被せられる床仕上材の開口部に入って床仕上材の表面が略水平となることを特徴とする。
【００１０】
請求項２に記載の配管接続用パネルは、前記パネル部材と略同一形状の床仕上材をその表面に更に備えることを特徴としている。
【発明の効果】
【００１１】
請求項１に記載の配管接続用パネルによれば、所定の規格寸法の床パネルを複数敷き詰めて床を形成する住宅において、当該床パネルと略同一寸法に形成され、上端が前記住宅の内部側から配設された内部配管に接続すると共に、下端が前記住宅の床下側から配設された床下配管に接続する継手管を具備する配管接続ユニットを具備している。これにより、床を形成する床パネルの一部を本発明に係る配管接続用パネルと取替えるだけで、当該箇所を介して床下側と住宅内部側との給排水管の接続を容易に行うことができる。
【００１２】
また、本発明に係る配管接続用パネルを使用した場合には、リフォーム等により間取りの変更を行う際にも、当該配管接続用パネルの位置を変更するだけでよく水回りの位置の変更を極めて容易に行うことができ、さらに、特殊技能を有する作業者を要することなく少人数での施工が可能となる。また、配管のメンテナンスを行う際にも、配管接続用パネルで止水を行えば、当該配管の取替えや清掃作業等も容易に行うことができる。以上のように、配管接続用パネルを使用することにより上水配管及び下水配管の変更に掛かる期間及びコストを軽減することができる。また、前記継手管は、その下端が水平方向を向いて回転自在である。これにより、床パネルの下方において、何れの方向からでも給排水管を接続することができると共に、配管の折れ曲がりによる詰まりや損傷等が生じることがないという利点がある。
【００１３】
更に、この発明の配管接続用パネルによれば、前記配管接続ユニットを複数備え、該複数の配管接続ユニットはそれぞれ、前記住宅の給水配管を接続する継手管を具備する給水用配管接続ユニット、前記住宅の給湯配管を接続する継手管を具備する給湯用配管接続ユニット、及び前記住宅の排水配管を接続する継手管を具備する排水用配管接続ユニットのいずれかである。これにより、生活に必要な水回りを一枚の床パネルに収めることができるので、リフォーム等により間取りの変更を行う際にも当該配管接続用パネルの位置を変更するだけで水回りの位置を変更することができ施工がより容易である。
また、パネル部材の表面側から突出するが床仕上材の開口部に入ってその表面より突出しない接続ソケットや止水栓を有しているので、床仕上材の表面が略平面となり、且つ、止水栓の開閉をドライバーで行うことが出来るので、給水配管、給湯配管のうち内側配管の水回り位置の変更や、配管の交換を行う際の作業が容易となる。
【００１５】
請求項２に記載の配管接続用パネルによれば、前記パネル部材と略同一形状の床仕上材をその表面に更に備えている。これにより、配管接続用パネルを使用するために既設の床パネルと取り替えたり、若しくは、他の位置から当該配管接続用パネルを移動させる等した後にも、前記床仕上材を配管用接続パネルの上面に敷設するだけで、床の意匠性を向上させることができるので、作業が容易である。
【発明を実施するための最良の形態】
【００１６】
この発明における配管接続用パネルの最良の実施形態について、以下に説明する。本発明に係る配管接続用パネル１は、図５に示すように、所定の規格寸法の床パネル２を複数敷き詰めて床３を形成する住宅における給排水配管４の接続に用いるものである。そして、図１、図２、図４、図５に示すように、前記床パネル２と略同一寸法に形成され、前記住宅の床３の一部を構成するパネル部材１ａと、該パネル部材１ａに設けられる貫通孔５に貫入された状態で固定される配管接続ユニット６と、を備え、該配管接続ユニット６は、上端が前記住宅の内部側から配設された内部配管４１に接続すると共に、下端が前記住宅の床３下側から配設された床下配管４２に接続する継手管７を具備している。
【００１７】
前記床３は、図４に示すように、所定の規格寸法を一辺に有する略正方形状の床パネル２を複数敷き詰めて形成されている。また、図４では示されていないが、床３の外周部分である、住宅の外壁付近においては、該外壁と床パネル２との間隔を調整するために、予め、若しくは、作業現場でカットされる等して略矩形状に形成された床パネル２が使用されている。そして、前述のように敷き詰められた床パネル２は、プレキャストコンクリートや押出成形セメント板等で形成された下方床部９に略垂直に設置された束８に当該下方床部９と所定間隔をあけて支持され、上方床部３を形成し、該下方床部９と上方床部３とで二重床を形成している。また、床パネル２を敷き詰める際には、図４に示すように、束８の上部に設けられた略正方形状の支持板８ａの四隅に該床パネル２の角部を載置して、ビスＢ等で固定することで、相隣接する床パネル２同士を連結している。
【００１８】
この際には、二重床を施工後に住人等が上方床部３の上を歩いた際に、床鳴りを防止するために、相隣接する床パネル２同士の間隔を５〜１５ｍｍ程度あけておくことが好ましい。尚、リフォーム等の際に水回りの配置の変更を繰返し行うことができるように、床パネル２や、束８の支持板８ａはパーチ材等の木質材料を好適に使用することができるが、これに限定されず、鋼製の材料も使用することができる。また、本実施形態では支持板８ａ以外は鋼製の部材が使用されているが、これに限定されず周知の束８を適宜選択して使用することができる。尚、以上のような二重床の構成は一例であり、本実施形態のものに限定されず、その他の構成であってもよい。
【００１９】
前記配管接続用パネル１は、その全体形状が前述のように形成される二重床の上方床部３を形成する床パネル２と略同一寸法に形成されているので、図４に示すように、床パネル２の代わりに当該配管接続用パネル１を束８の支持板８ａに載置固定することで、その箇所から上水配管及び下水配管等の給排水管４の接続を行うことができる。また、配管接続用パネル１は、図１、図２に示すように、上方床部３を形成する床パネル２と略同一寸法に形成されるパネル部材１ａと、該パネル部材１ａに設けられる貫通孔５に貫入された状態で固定された配管接続ユニット６と、を具備している。尚、配管接続用パネル１のパネル部材１ａは、床パネル２と同様に、パーチ材等の木質材料を使用してもよいが、異なる材料を使用してもよく、また、水によって腐食することがない樹脂製材料や、耐腐食性の金属等も適宜使用することができる。
【００２０】
そして、配管接続ユニット６は、図１、図２、図５に示すように、合成樹脂や耐腐食性の金属等から形成され当該配管接続用パネル１の表側面１ｂに住宅の内部側から配設された内部配管４１に接続可能な接続ソケット１０と、該接続ソケット１０と連通して当該配管接続ユニット６の裏側面１ｃに形成され、その端部が住宅の床下側から配設された床下配管４２に接続可能な継手管７と、を具備している。そして、接続ソケット１０と内部配管４１との接続、及び継手管７と床下配管４２との接続は、これらをワンタッチで着脱自在な周知の配管プラグ、ソケット等を使用することができる。
【００２１】
そして、前記接続ソケット１０は、図４に示すように、配管接続用パネル１の表側面１ｂに床仕上材１１として意匠パネル１１ａを敷設した際に、当該接続ソケット１０が該意匠パネル１１ａから突出することのないように設けられているので、該配管接続用パネル１の周囲に例えばキッチン等の設備を設ける際にも該接続ソケット１０が邪魔になることがない。また、前記意匠パネル１１ａは、図３に示すように、その表側面には、施工後の内装の意匠性を向上させるために、例えば木目等の意匠模様Ｉが設けられている。
【００２２】
該意匠パネル１１ａは、図４に示すように、床パネル２や配管接続用パネル１と略同一寸法となるように形成されており、該配管接続用パネル１の表側面１ｂにおける接続ソケット１０や止水栓１２等が形成された配管接続ユニット６の箇所と対応する該意匠パネル１１ａの箇所には開口部１１ｂがそれぞれ設けられている。そのため、配管接続用パネル１に意匠パネル１１ａを被せた際には、図５に示すように、床仕上材１１の表面が略平面となるのである。そして、配管接続用パネル１周囲の床パネル２にも適宜床仕上材１１が敷設されるが、この際には、該床仕上材１１の連結部と床パネル２の連結部とがずれるようにして敷設されることが、床全体の強度確保や不陸解消のために好ましい。
【００２３】
一方、継手管７は、図２に示すように、パネル部材１ａの裏面側１ｃから下方に突出して設けられた略Ｌ字型の部材であり、床下配管４２と接続されるその先端側の開口部７ａが水平方向を向くように設けられている。さらに、継手管７は、床パネル２の下方において、何れの方向からでも給排水管４を接続することができると共に、配管の折れ曲がりによる詰まりや損傷等が生じることがないように回転自在となっている。
【００２４】
そして、配管接続用パネル１には、図１、図２に示すように、例えば前記住宅の給水配管４ａを接続する継手管７を具備する給水用配管接続ユニット６ａ、前記住宅の給湯配管４ｂを接続する継手管７を具備する給湯用配管接続ユニット６ｂ、及び前記住宅の排水配管４ｃを接続する継手管７を具備する排水用配管接続ユニット６ｃ等の複数の配管接続ユニット６を１枚の配管接続用パネル１に備えることができる。また、給水用配管接続ユニット６ａ、及び給湯用配管接続ユニット６ｂには、止水栓１２が設けられており、当該止水栓１２の開閉をドライバー等で行うことができるので、給水配管４ａ、及び給湯配管４ｂのうち内側配管４１の水回りの位置の変更や、配管の交換等を行う際にも作業が容易である。尚、本実施形態の配管接続用パネル１は一例であり、配管接続用パネル１に設けることのできる当該配管接続ユニット６の数や配置、種類等は目的に応じて変更することができるのは勿論である。
【００２５】
また、図６に示すように、給水用配管接続ユニット６ａ、給湯用配管接続ユニット６ｂを具備する配管接続用パネル１ｄ、排水用配管接続ユニット６ｃを具備する配管接続用パネル１ｅを形成し、２つ配管接続用パネル１に必要な各種の配管接続ユニット６を分割して設け、これらを組合わせることにより、例えばキッチンの設置位置等にも柔軟に対応することができる。この際には、床仕上材１１としての意匠パネル１１ａも、図６に示すように、それぞれの配管接続用パネル１に対応するように、開口部１１ｂが形成され、該配管接続用パネル１の上に敷設される。本実施形態では必要な各種の配管接続ユニット６を２つの配管接続用パネル１にそれぞれ分割して設けたが、それ以上の該配管接続用パネル１に分割してもよいのは勿論である。
【００２６】
以上のように形成される配管接続用パネル１を使用することにより、水回りの配置を変更する場合に上水配管及び下水配管の変更を極めて容易にすることができ、上水配管及び下水配管の変更に掛かる期間及びコストを軽減することができる。
【産業上の利用可能性】
【００２７】
本発明に係る配管接続用パネル１は、給排水設備の施工だけでなく、ガス等の設備の施工にも使用することができ、また、当該配管接続用パネル１が使用される箇所は住宅の１階、２階、若しくはその他の階であってもよいのは勿論である。
【図面の簡単な説明】
【００２８】
【図１】本実施形態に係る配管接続用パネルの表側を示す斜視図
【図２】本実施形態に係る配管接続用パネルの裏側を示す斜視図
【図３】本実施形態に係る床仕上材を示す斜視図
【図４】本実施形態に係る配管接続用パネルを用いた床の施工例を示す斜視図
【図５】本実施形態に係る配管接続用パネルを用いた床の施工例を示す断面図
【図６】他の実施形態に係る配管接続用パネルを用いた床の施工例を示す斜視図
【図７】従来技術を示す図
【符号の説明】
【００２９】
１            配管接続用パネル
２            床パネル
３            床（上方床部）
４            給排水管
４１（４）    内部配管
４２（４）    床下配管
５            貫通孔
６            配管接続ユニット
７            継手管
１１          床仕上材
１１ａ（１１）意匠パネル
【図１】
0005382402.tif 000002
【図２】
0005382402.tif 000003
【図３】
0005382402.tif 000004
【図４】
0005382402.tif 000005
【図５】
0005382402.tif 000006
【図６】
0005382402.tif 000007
【図７】
0005382402.tif 000008